(57)【要約】【課題】  低コスト且つ単純な作業・手順で組み立てることができるフォイル型スポーツカイトの本体構造を提供する【解決手段】  複数のセルＣ１〜Ｃ６から構成されるフォイル型スポーツカイトの本体１００の構造であって、各セルＣ１〜Ｃ６は、樹脂フィルム製の下面側シート１１０と樹脂フィルム製の上面側シート１２０の貼付により吸気口１４０を有する袋状に構成すると共に、少なくとも1枚の下面側シート１１０に対し、上面側シート１２０は複数のセル数分に分割（１２１〜１２６）し、下面側シート１１０に対して貼付する。【選択図】図２
2020075523.tif 000002
【特許請求の範囲】
【請求項１】
複数のセルから構成されるフォイル型スポーツカイトの本体構造であって、
各セルは、樹脂フィルム製の下面側シートと樹脂フィルム製の上面側シートの貼付により吸気口を有する袋状に構成されると共に、
少なくとも1枚の前記下面側シートに対し、前記上面側シートは前記複数のセル数分に分割されると共に、前記下面側シートに対して貼付されることにより前記各セルが袋状に構成されている
ことを特徴とするフォイル型スポーツカイトの本体構造。
【請求項２】
請求項１において、
前記上面側シートは、前記下面側シートに対して幅方向に弛ませた状態で貼付される
ことを特徴とするフォイル型スポーツカイトの本体構造。
【請求項３】
請求項２において、
前記幅方向の弛み量は、吸気口のある前端近傍が最も大きく、後端側に向かって徐々に少なくなるように、且つ、前記前端近傍から前端に向かっても僅かに少なくなるよう構成されている
ことを特徴とするフォイル型スポーツカイトの本体構造。
【請求項４】
請求項１〜３のいずれかにおいて、
前記下面側シートが２以上に分割されてブロック化されている
ことを特徴とするフォイル型スポーツカイトの本体構造。
【請求項５】
複数のセルから構成されるフォイル型スポーツカイトの本体の製造方法であって、
樹脂フィルム製の下面側シートに対して、前記複数のセル数分に分割された樹脂フィルム製の上面側シートを順次貼付することにより、フォイル型スポーツカイトの本体を製造する方法。
【請求項６】
請求項５において、
前記下面側シートが２以上に分割されてブロック化されており、
各ブロック毎に前記下面側シートに前記上面側シートを貼付して複数のブロックを製造した後、
各ブロックを結合させることにより前記フォイル型スポーツカイトの本体を製造する方法。
【発明の詳細な説明】
【技術分野】
【０００１】
本発明は、凧の技術分野に関し、特にフォイル型スポーツカイトに関するものである。
【背景技術】
【０００２】
従来から、上下左右、更には回転など自由にコントロールすることができるスポーツカイト（スポーツ凧）が我が国でも人気を博している。
【０００３】
スポーツカイトには様々な種類のものが存在するが、その中でも所謂「フォイル型」と呼ばれるスポーツカイトは、カイト本体にフレーム（骨）構造を有しておらず、ふわりと軽く飛び、衝突による危険性も少ないことから、競技だけでなくレジャーとしても人気がある。
【０００４】
フォイル型のスポーツカイトは、図１１に示しているように、風を受けて吸気口１４０から入った空気によりカイト本体部１００を構成する各セルが膨らみ、その状態で空中に浮かぶ構造となっている。本体部１００からは多数の支持線１５０が繋がれており、それら支持線１５０が４本の操作線１６０に纏められ、更にその４本の操作線１６０が２つのハンドル２００の両端に接続されて構成される。
【０００５】
操作者は、このハンドル２００を押したり引いたり、更には傾けるなどしてカイトを自由に操作するのである。
【０００６】
また、こういったフォイル型のスポーツカイトは、その完成品も市販もされており、誰でも購入して直ぐに楽しむことが可能となっている（非特許文献１参照）。
【先行技術文献】
【非特許文献】
【０００７】
Ｋｉｔｅ  Ｗｏｒｌｄ  Ｏｎｌｉｎｅ  ＳｈｏｐのＦｏｉｌ  Ｋｉｔｅｓのウェブページ
https://www.kiteworld-jp.com/catalog/foil.html
【発明の概要】
【発明が解決しようとする課題】
【０００８】
しかしながら、非特許文献１にあるような市販されるものは、製品によっては高価であり、子供達が必ずしも気軽に遊べるものではない。
【０００９】
また、自作する楽しさや、試行錯誤しながら自作することによって得られる知識などは、完成品を購入して単に使用するだけでは絶対に得られない点である。
【００１０】
そうはいっても、セイル地等専用の布を使って縫い合わせるような工程が必要になると、費用もかかるし、なにより容易に組み立てることができなくなってしまう。
【００１１】
本発明は、こういった問題点を解決するべくなされたものであって、低コスト且つ単純な作業・手順で組み立てることができるフォイル型スポーツカイトの本体構造を提供する事をその課題としている。
【課題を解決するための手段】
【００１２】
上記課題を解決するべく、本願発明は、複数のセルから構成されるフォイル型スポーツカイトの本体構造であって、各セルは、樹脂フィルム製の下面側シートと樹脂フィルム製の上面側シートの貼付により吸気口を有する袋状に構成されると共に、少なくとも1枚の前記下面側シートに対し、前記上面側シートは前記複数のセル数分に分割されると共に、前記下面側シートに対して貼付されることにより前記各セルが袋状に構成されていることを特徴とする。
【００１３】
このように構成したことによって、低コスト且つ単純な作業で組み立てることができるフォイル型スポーツカイトの本体構造を提供する事か可能となった。まず素材をゴミ袋等でも広く利用されている樹脂フィルム（ポリエチレンフィルム等）とすることで、圧倒的な低コスト化を実現すると共に、万一破損等が発生した場合でも、容易に補修することが可能となっている。
【００１４】
また、樹脂フィルムを、粘着テープ等を利用して互いに貼付することで作ることができるため、縫い合わせる等の作業が不要となり、小さな子供でも少し頑張れば十分に作ることが可能なレベルに製造方法が簡略化されているのである。
【００１５】
加えて、上面側シートはセルの数分だけ分割されており、即ち、上面側シートはセル毎に独立したシート（上面分割シート）が下面側シートに対して貼付されて構成されていることで、風を受けた上面側シート（上面分割シート）が膨らむように撓み易く、結果として各セルが膨らんで揚力を生じ易い構造となっているのである。
【００１６】
また、前記上面側シートは、前記下面側シートに対して幅方向に弛ませた状態で貼付してもよい。
【００１７】
このように構成すれば、よりセルが空気を受けて膨らみ易やすい構造を実現できる。
【００１８】
また、前記幅方向の弛み量は、吸気口のある前端近傍が最も大きく、後端側に向かって徐々に少なくなるように、且つ、前記前端近傍から前端に向かっても僅かに少なくなるように構成してもよい。
【００１９】
このように構成すれば、膨らんだセルの上下を流れる気流によって、揚力が発生し易く、よく飛ぶフォイル型スポーツカイトを実現することができる。
【００２０】
また、前記下面側シートが２以上に分割されてブロック化して構成してもよい。
【００２１】
このように構成すれば、製造が容易となると共に、一部が破損等した場合でも、その部分だけを交換することによって、全体を損傷等のない状態に戻すことができる。
【００２２】
なお本発明は、複数のセルから構成されるフォイル型スポーツカイトの本体の製造方法であって、樹脂フィルム製の下面側シートに対して、前記複数のセル数分に分割された樹脂フィルム製の上面側シートを順次貼付することにより、フォイル型スポーツカイトの本体を製造する方法、更には、前記下面側シートが２以上に分割されてブロック化されており、各ブロック毎に前記下面側シートに前記上面側シートを貼付して複数のブロックを製造した後、各ブロックを結合させることにより前記フォイル型スポーツカイトの本体を製造する方法、として捉えることも可能である。  
【発明の効果】
【００２３】
本発明を適用することで、低コスト且つ単純な作業・手順で組み立てることができるフォイル型スポーツカイトの本体構造を提供することができる。
【図面の簡単な説明】
【００２４】
【図１】フォイル型スポーツカイトの概略全体構成図である。
【図２】本体部を下面側から見た全体図である。
【図３】本発明の実施形態の一例として示す、スポーツカイト本体部を構成する部材であって、（ａ）が上面側シートを構成する上面分割シート、（ｂ）が下面側シートを構成する下面分割シートである。
【図４】下面分割シートに対して上面分割シートを取り付ける（貼付する）際の両者の関係を示した図である。
【図５】１枚の下面分割シートに対して２枚の上面分割シートを貼付する手順を示した図である。
【図６】１枚の下面分割シートに対して２枚の上面分割シートを貼付した後の、左右端部の処理を示した図である。
【図７】（ａ）は、１枚の下面分割シートに対して２枚の上面分割シートを貼付したことにより完成した３つのブロックを並べた状態を示した図であり、（ｂ）は当該３つのブロックを連結して本体部とした状態を示した図である。
【図８】本体部の後端の処理（袋状処理）の手順を示した図である。
【図９】（ａ）は実施形態の一例として示す上面分割シートの具体的形状を示した図であり、（ｂ）はその上面分割シートを下面分割シートに貼付して１つのセルを完成させた状態を示した斜視図である。
【図１０】（ａ）は図９（ｂ）で示したセルの側面図であり、（ｂ）は当該セルを前端側（吸気口側）から見た図である。
【図１１】フォイル型スポーツカイトを使用・操作している状態を示した図である。
【発明を実施するための形態】
【００２５】
以下、添付図面を参照しつつ、本発明の実施形態の一例であるフォイル型スポーツカイトの本体１００について説明を加える。なお、図面理解容易の為、各部の大きさや寸法を誇張して表現している部分があり、実際の製品と必ずしも一致しない部分があることを付記しておく。また各図面は符号の向きに見るものとする。
【００２６】
〈フォイル型スポーツカイトの本体の構成〉
図１に示しているように、フォイル型スポーツカイト１０は、本体部１００と、当該本体部から繋がる多数の支持線１５０と、これら支持線１５０を纏める４本の操作線１６０と、更にこの４本の操作線１６０が接続される２つのハンドル２００を主たる要素として構成される。なお、図１の略中央に描かれているのは「糸巻き」である。
【００２７】
なお、明細書及び特許請求の範囲において、フォイル型スポーツカイト本体部１００の「下面」とは、支持線１５０が備わっている面、即ち、当該スポーツカイトを上げている時に、操作者側に向いている面のことを意味し、「上面」はその反対側の面のことを意味する。更に、「前」とは、風を受ける吸気口１４０が設けられている側を指し、「後」とはその逆側を意味する。
【００２８】
本発明は、このフォイル型スポーツカイト１０を構成する本体部１００に関するものであるため、以降はこの本体部１００の部分に焦点を絞って説明する。
【００２９】
図２に示しているように、本体部１００は、下面側シート１１０と上面側シート１２０によって構成される。いずれのシートも材質は樹脂製のフィルム（例えばポリエチレンフィルム等）で構成される。また本体部１００は、図２のように下面側から見ると、縦長の６つのセルＣ１〜Ｃ６が幅方向（左右方向）に並べられた構成となっている。
【００３０】
各セルＣ１〜Ｃ６の前端（図２において上方）、即ち、本体部１００の前端には、それぞれ吸気口１４０が設けられており、受けた風がこの部分から本体部１００内に入って、各セルＣ１〜Ｃ６が膨らむように構成される。
【００３１】
図３に示しているように、本発明の実施形態の一例として示す本体部１００では、下面側シート１１０は、３枚の下面分割シート１１１〜１１３から構成される。同様に、上面側シート１２０は、６枚の上面分割シート１２１〜１２６から構成される。
【００３２】
図１〜図２からも明らかなように、下面分割シート１１１〜１１３に、上面分割シート１２１〜１２６を重ねると、前端側では、上面分割シート１２１〜１２６が少し前方（前端側）に飛び出すように構成される。これは、風を受けやすく、且つ、受けた風をセルＣ１〜Ｃ６内に導入し易くするための工夫である。
【００３３】
このように、本発明の実施形態の一例として示した本体部１００は、１枚の下面分割シート１１１〜１１３に対して２枚の上面分割シート１２１〜１２６が対応する構成とされ、この一つの纏まりでブロックＸ〜Ｚが構成される。
【００３４】
なお、上面分割シートの形状を、図９〜図１０を参照しつつ、より具体的に補足説明する。
【００３５】
実際の上面分割シートは、例えば、図９（ａ）に示したような形状を成している。後端側（図９（ａ）において右側）の幅Ｗ1に比べ、前端側（図９（ａ）において左側）近傍の位置（本実施形態においては前端切り込み１２３ａの切り込み端周辺）の幅Ｗ２が大きくなるように構成される。これにより、下面分割シート１１２に貼付すると、前端側に比べて後端側の弛み量が少なくなるのである。
【００３６】
また、図示したような前端切り込み１２３ａを設け、この切り込み１２３ａを重ねるようにして下面分割シート１１２と共に袋状に構成するため（図９（ｂ）、図１０参照）、前端即ち吸気口１４０側に向かうに従い僅かに窄（すぼ）んだ形状として仕上がることとなる。この独特のセルの形状によって、揚力を得やすくよく飛ぶフォイル型スポーツカイトの本体を構成することができるのである。
【００３７】
〈フォイル型スポーツカイトの本体の作成手順〉
続いて、図２〜図８を参照しつつ、本体部１００の作り方について説明する。
【００３８】
下面分割シート１１１〜１１３、及び、上面分割シート１２１〜１２６は、予め所定の大きさ（サイズ）にカットされているものを使用する。
【００３９】
まず、図３に記載しているように、各下面分割シート１１１〜１１３、及び、各上面分割シート１２１〜１２６の前端部分に補強テープ（マスキングテープ等）１７０を張って補強する。各分割シートが動かないよう押さえるなどして注意して貼り、はみ出した部分はハサミやカッターなどでカットする。
【００４０】
次に、１枚の下面分割シートに対して２枚の上面分割シートを貼り付け、ブロック（本実施形態においては３つのブロックＸ〜Ｚ）を作る。
【００４１】
ここでは、図４に示しているように、１枚の下面分割シート１１１に対して２枚の上面分割シート１２１、１２２を貼り付け、ブロックＸを作る手順を説明する。なお、上面分割シート１２１は下面分割シート１１１の左半分に、上面分割シート１２２は下面分割シート１１１の右側に取り付けるが定位置となる。
【００４２】
図５（ａ）に示したように、まず、下面分割シート１１１を床面等に置き、上面分割シート１２１を逆サイド側（右側）にひっくり返して配置し、粘着テープ３００を使って貼付する。
【００４３】
その後、図５（ｂ）に示したように、貼付した上面分割シート１２１を左側（本来の定位置側）に返し、更にその上にもう１枚の上面分割シート１２２を（ひっくり返して）重ねた状態で、更に粘着テープ３００を使って貼付する。
【００４４】
そして、図６に示しているように、後から重ねた方の上面分割シート１２２を右側（本来の定位置側）に返す。更に、それぞれの上面分割シート１２１、１２２の貼付されていない側の幅方向端縁を、下面分割シート１１１の両端（左右端）から少し内側で位置決めし、粘着テープ３００で貼付して固定する。２枚の上面分割シート１２１、１２２の境界部分には、幅広粘着テープ３０２を更に上から貼付して補強する。
【００４５】
なお、最終的に本体部１００の両端になる部分に関しては、図６の拡大図部分に示しているように、粘着テープ３００で貼付固定した上で一度内側に折り返し、更にその上から幅広粘着テープ３０２で貼付し補強する。他のブロックと接続する側の端面はこの折り返しの補強は行わない。
【００４６】
また、上面分割シート１２１、１２２は、本実施形態においては、下面分割シート１１１の対応部分（半分の領域）よりも幅広に構成されているため、貼付すると、図６に示しているように、下面分割シート１１１に対して弛むような（浮くような）構成となる。この弛み（浮き）の部分に空気が流入してセルが膨らむこととなる。なお、図６では、理解容易の為に弛み（浮き）の程度を誇張して表現している。
【００４７】
また、下面分割シート１１１に対する上面分割シートの弛み量（浮き量）は、前側（吸気口１４０側）近傍が最も大きく、後端側に向かって徐々に少なくなるように、且つ、前端近傍から前端（吸気口１４０側）に向かっても僅かに少なくなるように構成される。例えば図３（ａ）では、理解容易のため、上面分割シート１２１〜１２６は上から下まで等幅のシートとして表現されているが、厳密には、下から上に向かって徐々に幅広になるように構成される（この点は追って詳述する）。
【００４８】
同様の手順で、下面側シート１１２に対して２枚の上面側シート１２３、１２４を貼付する。更に、下面側シート１１３に対して２枚の上面側シート１２５、１２６を貼付する。
【００４９】
これにより、図７（ａ）に示したように、３つのブロックＸ〜Ｚが出来上がる。最後は、図７（ｂ）に示しているように、３つのブロックＸ〜Ｚを繋げて粘着テープで貼付し、１つの本体部１００に仕上げる。
【００５０】
また、各ブロックＸ〜Ｚの後端部分、即ち、各セルＣ１〜Ｃ６を袋状とするための底になる部分を作るために、図８に示しているように、上面分割シートと下面分割シートを貼付固定する。当該部分についても、一旦粘着テープ３００で上面分割シート１２２を下面分割シート１１１に対して貼付固定した後、貼付した粘着テープ３００を半分に折り曲げるようにして折り返し、更に粘着テープ３０２を貼付して補強しておく。
【００５１】
この手順を経ることによって、本体部１００が完成する。
【００５２】
このように、本願発明は、複数のセルＣ１〜Ｃ６から構成されるフォイル型スポーツカイトの本体１００の構造であって、各セルＣ１〜Ｃ６は、樹脂フィルム製の下面側シート１１０と樹脂フィルム製の上面側シート１２０の貼付により吸気口１４０を有する袋状に構成されると共に、少なくとも1枚（上記例では３分割）の下面側シート１１０に対し、上面側シート１１０は複数のセル数分に分割（上記例では６分割）されると共に、下面側シート１１０に対して貼付されることにより各セルＣ１〜Ｃ６が袋状に構成されていることを特徴としていた。
【００５３】
このように構成したことによって、低コスト且つ単純な作業で組み立てることができるフォイル型スポーツカイトの本体１００の構造を提供する事か可能となった。まず素材をゴミ袋等でも広く利用されている樹脂フィルム（ポリエチレンフィルム等）とすることで、圧倒的な低コスト化を実現すると共に、万一破損等が発生した場合でも、容易に補修することが可能となっている。
【００５４】
また、樹脂フィルム製のシートを、粘着テープ３００、３０２等を利用して互いに貼付することで作ることができるため、縫い合わせる等の作業が不要となり、小さな子供でも少し頑張れば十分に作ることが可能なレベルに製造方法が簡略化されているのである。
【００５５】
加えて、上面側シート１２０はセルＣ１〜Ｃ６の数分だけ分割されており、即ち、上面側シート１２０はセル毎に独立したシート（上面分割シート１２１〜１２６）が下面側シート１１０に対して貼付されて構成されていることで、風を受けた上面分割シートが膨らむように撓み易く、結果として各セルＣ１〜Ｃ６が膨らみ揚力を生じ易い構造となっているのである。
【００５６】
また、上面分割シート１２１〜１２６は、下面側シート１１０に対して幅方向に弛ませた状態で貼付されていた。
【００５７】
このように構成したことにより、セルＣ１〜Ｃ６が空気を受けて膨らみ易やすい構造を実現している。
【００５８】
また、当該幅方向の弛み量は、吸気口１４０のある前端近傍が最も大きく、後端側に向かって徐々に少なくなるように、且つ、前記前端近傍から前端に向かっても僅かに少なくなるように構成されていた。
【００５９】
このように構成したことによって、膨らんだセルＣ１〜Ｃ６の上下を流れる気流によって、揚力が発生し易く、よく飛ぶフォイル型スポーツカイトを実現している。
【００６０】
また、下面側シートが２以上に分割されてブロック化されていることによって、作成が容易となると共に、一部が破損等した場合でも、その部分だけを交換することによって、全体を損傷等のない状態に戻すことが可能な構成となっている（粘着テープを剥がして損傷したブロックを交換すればよい）。また、ブロック数を増減させることで、幅方向にサイズの異なる本体部のバリエーションを容易に構成しやすいというメリットも存在する。
【００６１】
〈その他の構成例〉
上記では、本体部１００が６つのセルＣ１〜Ｃ６で構成されていたが、セル数はこれに限られない。使用者の体力や目的等に応じて適宜変更することが可能である。
【００６２】
また、上記では、下面側シート１１０が３枚に分割された下面分割シートとして構成されていたが、これに限られるものではない。分割されずに１枚の下面側シートで構成することも可能であるし、２分割更には６分割などで構成することも可能である。
【符号の説明】
【００６３】
１０・・・フォイル型スポーツカイト
１００・・・本体部
１１０・・・下面側シート
１１１〜１１３・・・下面分割シート
１２０・・・上面側シート
１２１〜１２６・・・上面分割シート
１４０・・・吸気口（前端部）
１５０・・・支持線
１６０・・・操作線
１７０・・・補強テープ
２００・・・ハンドル
３００・・・粘着テープ（幅狭）
３０２・・・粘着テープ（幅広）
Ｃ１〜Ｃ６・・・セル
Ｘ〜Ｚ・・・ブロック
【図１】
2020075523.tif 000003
【図２】
2020075523.tif 000004
【図３】
2020075523.tif 000005
【図４】
2020075523.tif 000006
【図５】
2020075523.tif 000007
【図６】
2020075523.tif 000008
【図７】
2020075523.tif 000009
【図８】
2020075523.tif 000010
【図９】
2020075523.tif 000011
【図１０】
2020075523.tif 000012
【図１１】
2020075523.tif 000013
【手続補正書】
【提出日】平成31年2月21日(2019.2.21)
【手続補正１】
【補正対象書類名】特許請求の範囲
【補正対象項目名】全文
【補正方法】変更
【補正の内容】
【特許請求の範囲】
【請求項１】
複数のセルから構成されるフォイル型スポーツカイトの本体構造であって、
各セルは、樹脂フィルム製の下面側シートと樹脂フィルム製の上面側シートの貼付により吸気口を有する袋状に構成されると共に、
少なくとも２枚の前記下面側シートに対し、前記上面側シートは前記複数のセル数分に分割されると共に、前記下面側シートに対して貼付されることにより前記各セルが袋状に構成され、
前記下面側シートが２以上に分割されると共に、当該分割された下面側シートのそれぞれに対して２以上の上面側シートが貼付されてブロック化されている
ことを特徴とするフォイル型スポーツカイトの本体構造。
【請求項２】
複数のセルから構成されるフォイル型スポーツカイトの本体の製造方法であって、
各セルは、樹脂フィルム製の下面側シートと樹脂フィルム製の上面側シートの貼付により吸気口を有する袋状に構成されると共に、
前記下面側シートを２以上に分割した上で、当該分割した下面側シートのそれぞれに対して２以上の上面側シートを貼付して複数のブロックを製造した後、
各ブロックを結合させることにより前記フォイル型スポーツカイトの本体を製造する方法。
【手続補正２】
【補正対象書類名】明細書
【補正対象項目名】００６２
【補正方法】変更
【補正の内容】
【００６２】
また、上記では、下面側シート１１０が３枚に分割された下面分割シートとして構成されていたが、これに限られるものではない。２分割などで構成することも可能である。